(57)【特許請求の範囲】
【請求項１】
プリンタの状態を示す表示手段と、
プリンタを操作するための複数のキーを有する操作部とを備えたプリンタ操作パネルにおいて、
前記プリンタが印刷可能な状態にあるときには、該プリンタに印刷を実行させるために操作されるとともに、前記プリンタが印刷不可状態にあるときには、この印刷不可状態を解除して印刷を実行させるために操作される、若しくは印刷実行のために別途必要な作業の表示を前記表示手段に表示させるために操作される単一且つその他のキーよりも大型のメインキーを操作部に設けるとともに、
前記操作部は、該メインキーが配置されたエラー対応操作ゾーンと、前記その他のキーのうち前記プリンタの設定のために使用される設定キーが配置された設定操作ゾーンとを有し、前記エラー対応操作ゾーンは前記設定操作ゾーンよりも高い面に位置することを特徴とするプリンタ操作パネル。
【請求項２】
前記メインキーは、前記エラー対応操作ゾーンに配置されたその他のキーよりも高い位置に配置されることを特徴とする請求項１に記載のプリンタ操作パネル。
【請求項３】
前記メインキーを円形状にしたことを特徴とする請求項１又は２に記載のプリンタ操作パネル。
【請求項４】
前記プリンタの状態がオンライン状態であることを示すオンライン表示ランプ及びエラー状態であることを示すエラー表示ランプの２種類の表示ランプを設け、これらの表示ランプを前記メインキーの周辺に配置したことを特徴とする請求項１〜３のいずれか一項に記載のプリンタ操作パネル。
【請求項５】
前記オンライン表示ランプ及び前記エラー表示ランプは、前記メインキーを時計の文字盤に見たててそれぞれ９時と１２時の位置に対応する関係となるように配置されていることを特徴とする請求項４に記載のプリンタ操作パネル。
【請求項６】
ジョブのリセット又はキャンセルを行う機能を有するジョブキャンセルキー及びデータの処理の状況を示すデータ表示ランプを設け、これらジョブキャンセルキー及びデータ表示ランプを前記メインキーと同一線上に配置したことを特徴とする請求項１〜５のいずれか一項に記載のプリンタ操作パネル。
【請求項７】
前記データ表示ランプを前記メインキーと前記ジョブキャンセルキーとの間に配置したことを特徴とする請求項６に記載のプリンタ操作パネル。
【請求項８】
前記オンライン表示ランプと前記エラー表示ランプとは、互いに異なる形状であることを特徴とする請求項４〜７のいずれか一項に記載のプリンタ操作パネル。
【請求項９】
前記メインキーの周囲に隆起部を設け、その外周面に前記オンライン表示ランプ及び前記エラー表示ランプを配置したことを特徴とする請求項４〜８のいずれか一項に記載のプリンタ操作パネル。
【請求項１０】
前記隆起部の外周面が斜状をなしていることを特徴とする請求項９に記載のプリンタ操作パネル。
【発明の詳細な説明】
【０００１】
【発明の属する技術分野】
本発明は、プリンタ装置に装備される操作パネルに関するものである。
【０００２】
【従来の技術】
従来、プリンタ装置の操作パネル３１においては、図６に示すように、強制的に印刷動作を行わせるために印刷可キー３２、排紙キー３３、エラー解除キー３４、設定キー３５及び詳細設定キー３６〜３９等がほぼ同様の大きさ及び間隔で配置されている。また、プリンタの状態を表示する表示ランプとして、印刷可表示ランプ４１、データ表示ランプ４２、エラー解除表示ランプ４３、設定モード表示ランプ４４〜４６が配置されている。印刷可表示ランプ４１はプリンタが印刷可状態の場合に点灯し、データ表示ランプ４２は印刷データの受信中又はプリンタに印刷データが残存する場合に点滅又は点灯する。エラー解除表示ランプ４３はエラー解除キー３４の操作をすることで解除可能なエラーが発生した場合に点滅する。設定モード表示ランプ４４〜４６は選択された設定モードに従って点灯する。液晶表示器４０には、文字情報が集約されて表示される。印刷可キー３２の操作により印刷可／印刷不可状態の切替えが行われる。排紙キー３３の操作によりプリンタ内に残存するデータが印刷、排紙され、エラー解除表示ランプ４３点滅中でのエラー解除キー３４の操作により解除可能なエラーが解除される。また、設定キー３５とエラー解除キー３４とを同時に操作することにより、印刷の中止、現在稼働中のインターフェイスで受信したデータの消去及びエラーの解除が同時に行われる。初期設定等は設定キー３５及び詳細設定キー３６〜３９の操作によって行われる。
【０００３】
【発明が解決しようとする課題】
ところが、通常の印刷処理においては、これらのキーの使用頻度は一定でない。それにもかかわらず、これらのキーは使用頻度と関係なく、ほぼ同様の大きさ及び間隔で配置されているため、印刷処理を続行するためのエラー解除といった頻繁に行われる操作をする際も、文字表示を確認して操作をする必要があり、面倒で、誤操作しやすい。
【０００４】
本発明は、上記問題点に鑑みてなされたものであり、その目的は、印刷続行のために操作すべきキーに対するユーザの注意を喚起し、そのキーをユーザが操作しやすくすることができるプリンタ操作パネルを提供することにある。
【０００５】
【課題を解決するための手段】
上記問題点を解決するために、請求項１に記載の発明は、プリンタの状態を示す表示手段と、プリンタを操作するための複数のキーを有する操作部とを備えたプリンタ操作パネルにおいて、前記プリンタが印刷可能な状態にあるときには、該プリンタに印刷を実行させるために操作されるとともに、前記プリンタが印刷不可状態にあるときには、この印刷不可状態を解除して印刷を実行させるために操作される、若しくは印刷実行のために別途必要な作業の指示を前記表示手段に表示させるために操作される単一且つその他のキーよりも大型のメインキーを操作部に設けるとともに、前記操作部は、該メインキーが配置されたエラー対応操作ゾーンと、前記その他のキーのうち前記プリンタの設定のために使用される設定キーが配置された設定操作ゾーンとを有し、前記エラー対応操作ゾーンは前記設定操作ゾーンよりも高い面に位置することを要旨とする。
【０００６】
従って、請求項１に記載の発明によれば、プリンタが印刷可能な状態にあるときには、該プリンタに印刷を実行させるために操作されるとともに、プリンタが印刷不可状態にあるときには、この印刷不可状態を解除して印刷を実行させるために操作される、若しくは印刷実行のために別途必要な作業の指示を表示手段に表示させるために操作される単一のメインキーを有することにより、操作を簡略化でき、このメインキーを他のキーよりも大型にしたことにより、メインキーに対するユーザの注意を喚起するとともに操作を行いやすくし、ユーザがメインキーを優先的に操作することを誘導できる。
【０００７】
加えて、上記請求項１に記載の発明では、前記操作部は前記メインキーが配置されたエラー対応操作ゾーンと、前記その他のキーのうちプリンタの設定のために使用される設定キーが配置された設定操作ゾーンとを有し、前記エラー対応操作ゾーンは前記設定操作ゾーンよりも高い面に位置するようにしている。
【０００８】
従って、上記請求項１に記載の発明によれば、メインキーが配置されたエラー対応操作ゾーンが高い面に位置することにより、メインキーに対するユーザの注意をさらに喚起し、ユーザがメインキーを優先的に操作することをより誘導できる。
【０００９】
請求項２に記載の発明は、請求項１に記載のプリンタ操作パネルにおいて、前記メインキーは、前記エラー対応操作ゾーンに配置されたその他のキーよりも高い位置に配置されることを要旨とする。
【００１０】
従って、請求項２に記載の発明によれば、メインキーをエラー対応操作ゾーンに配置された他のキーよりも高い位置に配置したことにより、ユーザがメインキーを優先的に操作することをいっそう誘導できる。
【００１３】
請求項３に記載の発明は、請求項１又は２に記載のプリンタ操作パネルにおいて、前記メインキーを円形状にしたことを要旨とする。
【００１４】
従って、請求項３に記載の発明によれば、メインキーを円形状にしたことにより、多方向からの操作を許容できる。
【００１５】
請求項４に記載の発明は、請求項１〜３のいずれか一項に記載のプリンタ操作パネルにおいて、プリンタの状態がオンライン状態であることを示すオンライン表示ランプ及びエラー状態であることを示すエラー表示ランプの２種類の表示ランプを設け、これらの表示ランプを前記メインキーの周辺に配置したことを要旨とする。
【００１６】
従って、請求項４に記載の発明によれば、プリンタの状態を示す２種類の表示ランプとメインキーとが関連付けられることにより、印刷不可状態の場合に、表示ランプの点灯又は点滅によってユーザがメインキーを操作すること誘導できる。
【００１７】
請求項５に記載の発明は、請求項４に記載のプリンタ操作パネルにおいて、前記オンライン表示ランプ及び前記エラー表示ランプは、前記メインキーを時計の文字盤に見たててそれぞれ９時と１２時の位置に対応する関係となるように配置されていることを要旨とする。
【００１８】
従って、請求項５に記載の発明によれば、メインキーを操作する際に、オンライン表示ランプ及びエラー表示ランプに指が重なりにくい。このため、ユーザはこれらの表示ランプの点灯又は点滅が視覚可能な状態でメインキーを操作をすることができる。
【００２１】
請求項６に記載の発明は、請求項１〜５のいずれか一項に記載のプリンタ操作パネルにおいて、ジョブのリセット又はキャンセルを行う機能を有するジョブキャンセルキー及びデータの処理の状況を示すデータ表示ランプを設け、これらジョブキャンセルキー及びデータ表示ランプを前記メインキーと同一線上に配置したことを要旨とする。
【００２２】
従って、請求項６に記載の発明によれば、処理の際に、ユーザがメインキーとジョブキャンセルキーのいずれかを操作することを誘導できる。
【００２３】
請求項７に記載の発明は、請求項６に記載のプリンタ操作パネルにおいて、前記データ表示ランプを前記メインキーと前記ジョブキャンセルキーとの間に配置したことを要旨とする。
【００２４】
従って、請求項７に記載の発明によれば、データの流れを感覚的に容易にすることができ、ユーザがメインキーを優先的に操作することを誘導できる。
【００２５】
請求項８に記載の発明は、請求項４〜７のいずれか一項に記載のプリンタ操作パネルにおいて、前記オンライン表示ランプと前記エラー表示ランプとは、互いに異なる形状であることを要旨とする。
【００２６】
従って、請求項８に記載の発明によれば、ユーザが色盲又は色弱で色の識別が困難である場合でも、形状の違いにより、容易にオンライン表示ランプと前記エラー表示ランプとを識別することができる。
【００２９】
請求項９に記載の発明は、請求項４〜８のいずれか一項に記載のプリンタ操作パネルにおいて、前記メインキーの周囲に隆起部を設け、その外周面に前記オンライン表示ランプ及び前記エラー表示ランプを配置したことを要旨とする。
【００３０】
従って、請求項９に記載の発明によれば、メインキーの周囲の隆起部の外周面に前記オンライン表示ランプ及び前記エラー表示ランプを配置したことで、プリンタの周囲のいずれの方向からでも、これらの表示ランプの点滅又は点灯が視覚される。このため、ユーザがプリンタの周囲のどの位置にいる場合でも、表示ランプの点灯又は点滅により、ユーザがメインキーを操作することを誘導できる。
【００３１】
請求項１０に記載の発明は、請求項９に記載のプリンタ操作パネルにおいて、前記隆起部の外周面が斜状をなしていることを要旨とする。
【００３２】
従って、請求項１０に記載の発明によれば、メインキーの周囲の隆起部の外周面が斜状をなしていることで、外周面上に配置した前記オンライン表示ランプ及び前記エラー表示ランプの点滅又は点灯が、プリンタの周囲のいずれの方向からでも視覚される。このため、ユーザがプリンタの周囲のどの位置にいる場合でも、表示ランプの点灯又は点滅により、ユーザがメインキーを操作することを誘導できる。
【００３３】
【発明の実施の形態】
以下、本発明を具体化した一実施形態を図１〜図５に従って説明する。
【００３４】
図１に示すように、プリンタ１１の外ケース１１ａの上面右隅部には操作パネルが配置されている。このプリンタ１１には、このプリンタ１１に対してコマンドを出力してプリンタ１１を動作させるためのパーソナルコンピュータ等の外部装置Ｐが接続されている。
【００３５】
図４に示すように、プリンタ１１は、ＣＰＵ２３、ＲＯＭ２４、ＲＡＭ２５、印刷機構部２８及び通信制御装置２９を備えるとともに、操作部２６及び表示部２７がＣＰＵ２３にそれぞれ接続されている。ＣＰＵ２３は、プリンタ１１を構成する各部を制御する。ＲＯＭ２４は、プリンタ１１を制御するためのプログラムを記憶する。ＲＡＭ２５は、プリンタ１１に関する各種情報を一時的に記憶する。操作パネル１２は、操作部２６及び表示部２７を有する。
【００３６】
図２に示すように、操作パネル１２の操作部２６は、メインキーとしての単一の印刷可キー１３、ジョブキャンセルキー１４、４個の設定キー１５〜１８を操作キーとして備えている。印刷可キー１３は、プリンタが印刷不可状態である場合に、それを解除して印刷を実行させるために操作される。ジョブキャンセルキー１４は、印刷等のジョブをキャンセルさせるために操作される。設定キー１５〜１８は、初期設定等での用紙サイズ等の印刷条件の設定のために使用される。
【００３７】
操作パネル１２の表示部２７は、発光ダイオードよりなるオンライン表示ランプ１９、エラー表示ランプ２０及びデータ表示ランプ２１と液晶表示器２２とを備えている。すなわち、表示手段は、オンライン表示ランプ１９、エラー表示ランプ２０、データ表示ランプ２１及び液晶表示器２２により構成されている。オンライン表示ランプ１９はオンライン状態であることを示し、エラー表示ランプ２０はエラー状態であることを示し、データ表示ランプ２１はデータ処理の状態を示す。また、液晶表示器２２は、文字情報を集約して表示する。
【００３８】
ここで、設定キー１５〜１８が配置されている部分を設定操作ゾーン１２ｂと呼ぶ。印刷可キー１３、ジョブキャンセルキー１４、オンライン表示ランプ１９、エラー表示ランプ２０及びデータ表示ランプ２１が配置されている部分をエラー対応操作ゾーン１２ａと呼ぶ。図３に示すように、エラー対応操作ゾーン１２ａは設定操作ゾーン１２ｂと比較して高い面に位置する。従って、印刷可キー１３、ジョブキャンセルキー１４、オンライン表示ランプ１９、エラー表示ランプ２０及びデータ表示ランプ２１は、設定キー１５〜１８より高いところに位置している。
【００３９】
印刷可キー１３は、他のキーより大型の円形構造で、鮮やかな色彩により他のキーに対して顕在化されている。エラー対応操作ゾーン１２ａにおいて、印刷可キー１３の周囲は印刷可キー１３を中心としてカルデラ状に隆起させた構造をとり、印刷可キー１３はこのカルデラ部１２ｃの中央に位置して、キー群のなかで最も高いところに位置している。印刷可キー１３の周囲には、カルデラ部１２ｃの頂部から外斜面にかけてオンライン表示ランプ１９を時計の９時の位置に配置し、エラー表示ランプ２０を時計の１２時の位置に配置する。すなわち、オンライン表示ランプ１９及びエラー表示ランプ２０は、印刷可キー１３の周囲の、操作側から見て後半部の位置に配置されている。操作側とは、通常ユーザがプリンタを操作する際に立つ位置をいい、後半部とは、図２において一点鎖線の上部をいう。オンライン表示ランプ１９は長方形の形状をなし、緑色に点灯又は点滅する。エラー表示ランプ２０は逆台形の形状をなし、赤色に点灯する。印刷可キー１３は操作パネル１２上の右側手前隅部に配置されている。ジョブキャンセルキー１４と印刷可キー１３とデータ表示ランプ２１とは同一線上に配置され、データ表示ランプ２１は、印刷可キー１３とジョブキャンセルキー１４との間に配置されている。
【００４０】
ユーザの行う操作は、エラー対応操作と設定操作とに大別される。エラー対応操作は、エラー対応操作ゾーン１２ａに位置するキー（印刷可キー１３及びジョブキャンセルキー１４）の操作によって行われる。設定操作は、設定操作ゾーン１２ｂに位置するキー（設定キー１５〜１８）の操作によって行われる。エラー対応操作は通常の印刷処理におけるエラー対応時に必要となる操作であり、一方設定操作は初期設定又は特殊な印刷方法を行う場合での設定の際に行われる操作である。設定操作により、プリンタモード、コピー枚数、用紙サイズ、拡大／縮小、用紙方向等の印刷の条件について設定が行われる。
【００４１】
図５に示すように、プリンタの状態は、オンライン表示ランプ１９とエラー表示ランプ２０との点滅又は点灯の組み合わせによって示される。エラー状態は、さらにユーザによる作業が必要な場合と不要な場合とに分けられる。ユーザによる作業が不要なエラーの場合は、エラー表示ランプ２０の点灯に加えてオンライン表示ランプ１９が点滅する。ユーザによる作業が必要なエラーの場合は、エラー表示ランプ２０のみが点灯する。オンライン状態でエラーが発生していない場合は、正常状態の場合及びワーニングエラー状態の場合ともオンライン表示ランプ１９のみが点灯する。ワーニングエラーとは、例えばトナー不足の場合のように印刷処理の動作は正常に行われるが、警告を必要とする場合をいい、ワーニングメッセージが液晶表示器２２に表示される。
【００４２】
次に、プリンタが印刷実行不可状態である場合に印刷を実行させる方法について説明する。
【００４３】
ユーザによる作業が不要なエラーの場合、印刷可キー１３を操作するとエラーが解除され、印刷処理が実行される。例えば、用紙サイズが異なっている場合に、ユーザによる作業が不要なエラーとなるが、現在セットされている用紙のまま印刷するとユーザが判断した場合は、印刷可キー１３を操作する。これにより、エラーが解除され処理が続行される。用紙の変更を行うとユーザが判断した場合は、ユーザは印刷可キー１３の操作をせずに用紙の入替えを行う。これにより、正しいサイズの用紙がセットされたことをプリンタが検知し、印刷処理を続行する。
【００４４】
ユーザによる作業が必要なエラーの場合は、操作パネル１２上のキーの操作ではエラーを解除できない。この場合、印刷可キー１３を操作すると液晶表示器２２に操作指示メッセージが表示される。ユーザは液晶表示器２２に表示されている指示メッセージに従って対応を行えば、プリンタがエラーが解除されたことを検知し、印刷処理を再開する。ユーザが印刷可キー１３を操作せずに、エラー解除のために必要な作業をプリンタ本体について行ってエラーを解除した場合も、プリンタがエラーが解除されたことを検知し、印刷処理を再開する。例えば、紙詰まりの場合、ユーザによる作業が必要なエラーとなり、液晶表示器２２に「キュウシミスデ  ヨウシガツマリマシタ」と表示される。ここで、ユーザが印刷可キー１３を操作すると液晶表示器２２に「カミヲトリノゾイテクダサイ」といった操作指示メッセージが液晶表示器２２に表示される。ユーザが操作指示メッセージに従って紙詰まりとなっている紙を取り除くと、プリンタが紙詰まりが解消されたことを検知して、印刷処理が再開される。ユーザが印刷可キー１３を操作せずに紙詰まりとなっている紙を取り除いた場合も、プリンタが紙詰まりが解消されたことを検知して、印刷処理を続行する。
【００４５】
オフライン状態で、印刷可キー１３を操作すると、オンライン状態となり処理が実行される。オフライン状態とは、印刷出力を行わない状態をいい、設定キー１５〜１８の何れかを操作することによりオフライン状態となる。
【００４６】
ワーニングエラーの場合は、印刷処理は通常に行われており、ワーニングメッセージが液晶表示器２２に表示される。この場合は印刷続行可能状態であるが、印刷可キー１３を操作することにより、液晶表示器２２に表示されているワーニングメッセージが印刷可能であることを示すメッセージに切替わる。なお、正常状態で印刷可キー１３を操作した場合は、そのまま処理が続行される。
【００４７】
印刷するデータの処理状況は、データ表示ランプ２１によって表示される。データ受信中の場合、データ表示ランプ２１が点滅する。受信したデータを処理中の場合、データ表示ランプ２１が点灯する。実行中のジョブのキャンセルは、ジョブキャンセルキー１４を操作することによって行う。
【００４８】
上記実施形態のプリンタ操作パネルによれば、以下のような効果を得ることができる。
【００４９】
・  印刷可キー１３を操作パネル１２上の右側手前隅部の高い位置へ配置し、他のキーと比較して大型で、鮮やかな色彩にしたことにより、印刷可キー１３に対するユーザの注意を喚起し、ユーザが印刷可キー１３を優先的に操作することを誘導できる。
【００５０】
・  印刷可キー１３は、他のキーと比較して大型の円形状の構造としたことで、多方向からの操作を許容できる。
【００５１】
・  印刷可キー１３の周囲にオンライン表示ランプ１９とエラー表示ランプ２０とを配置したことにより、これらの点滅又は点灯によって印刷可キー１３に対するユーザの注意を喚起し、ユーザが印刷可キー１３の操作をすることを誘導できる。
【００５２】
・  エラー対応操作ゾーン１２ａを設定操作ゾーン１２ｂより高い位置とする構造としたことで、より使用頻度の高いエラー対応操作ゾーン１２ａのキー（印刷可キー１３及びジョブキャンセルキー１４）の操作をすることをユーザに誘導することができる。
【００５３】
・  印刷可キー１３を中心として時計の９時の位置にオンライン表示ランプ１９を配置し、時計の１２時の位置にエラー表示ランプ２０を配置したことにより、右利きが大多数のユーザが印刷可キー１３を操作をする際に、これらにユーザの指が重ならない。これにより、オンライン表示ランプ１９及びエラー表示ランプ２０の点灯又は点滅を視覚可能な状態でユーザが印刷可キー１３の操作をすることができる。
【００５４】
・  オンライン表示ランプ１９とエラー表示ランプ２０とをカルデラ部１２ｃの頂部から外斜面にかけて配置したことで、オンライン表示ランプ１９又はエラー表示ランプ２０の点灯又は点滅を多方向から視覚でき、また、低い位置からも視覚できる。
【００５５】
・  オンライン表示ランプ１９とジョブキャンセルキー１４との間にデータ表示ランプ２１を配置したことにより、データの流れを感覚的に容易にすることができる。
【００５６】
・  印刷続行不可状態である場合に印刷可キー１３の操作という単一の操作をすることによって、エラーの種類に応じて、印刷の続行又は印刷続行のために別途必要である作業の指示表示を行うことができ、操作を簡略化できる。
【００５７】
・  オンライン表示ランプ１９とエラー表示ランプ２０との位置及び形状を変化させたことにより、ユーザが色盲又は色弱で赤色と緑色との識別が困難である場合でも、容易にオンライン表示ランプ１９とエラー表示ランプ２０とを識別することができる。
【００５８】
・  オンライン表示ランプ１９及びエラー表示ランプ２０を、印刷可キー１３の周囲の、操作側から見て後半部の位置に配置したことで、ユーザがメインキーを操作する際に、これらの表示ランプに指が重なりにくくなる。このため、これらの表示ランプの点灯又は点滅が視覚可能な状態でメインキーを操作をすることができる。
【００５９】
なお、上記実施形態は以下のように変更してもよい。
【００６０】
・  印刷可キー１３自体に表示機能を設け、オンライン表示及び／又はエラー表示を行うこと。このようにすることで、より明確に印刷可キー１３に対するユーザの注意を喚起し、ユーザが印刷可キー１３の操作をすることを誘導することができる。
【００６１】
・  設定操作ゾーン１２ｂには蓋を設け、初期設定後は蓋を閉じること。このようにすることで、エラー対応操作時に設定操作ゾーン１２ｂのキーを間違って操作することを避けることができる。
【００６２】
・  操作キーは印刷可キー１３及びジョブキャンセルキー１４の２つとすること。ユーザが行う設定は省略する。このようにすることで、さらに操作を簡略化することができる。
【００６３】
・  表示ランプは、オンライン表示ランプ１９及びエラー表示ランプ２０のみとすること。このようにすることで、正常状態かエラー状態かについてより明確にユーザに伝達することができ、エラー状態に対するユーザの注意を喚起し、ユーザが印刷可キー１３の操作をすることを誘導することができる。
【００６４】
・  表示ランプは、エラー表示ランプ２０のみとすること。このようにすることで、より明確にエラー状態に対するユーザの注意を喚起し、ユーザが印刷可キー１３の操作をすることを誘導することができる。
【００６５】
・  オンライン表示ランプ１９又はエラー表示ランプ２０は、配置位置、形状又は大きさのいずれかを変更して印刷可キー１３の周囲に配置すること。
【００６６】
・  印刷可キー１３を中心として、時計の３時及び１２時の位置にオンライン表示ランプ１９又はエラー表示ランプ２０をそれぞれ配置すること。このようにすることで、左利きのユーザがメインキーを操作する際に、オンライン表示ランプ及びエラー表示ランプに指が重なりにくくなる。このため、これらの表示ランプの点灯又は点滅が視覚可能な状態でメインキーを操作をすることができる。
【００６７】
【発明の効果】
以上詳述したように本発明によれば、印刷処理を実行するために操作すべきキーに対するユーザの注意を喚起し、そのキーをユーザが操作することを誘導することができる。
【図面の簡単な説明】
【図１】  プリンタを示す斜視図。
【図２】  本発明の一実施形態のプリンタ操作パネルを示す正面図。
【図３】  本発明の一実施形態のプリンタ操作パネルを示す斜視図。
【図４】  プリンタの構成を示すブロック図。
【図５】  表示及び状態を示す図。
【図６】  従来のプリンタ操作パネルを示す正面図。
【符号の説明】
１１…プリンタ
１２…操作パネル
１３…メインキーとしての印刷可キー
１４…ジョブキャンセルキー
１９…オンライン表示ランプ
２０…エラー表示ランプ
２１…データ表示ランプ
【図１】
0004304403.tif 000002
【図２】
0004304403.tif 000003
【図３】
0004304403.tif 000004
【図４】
0004304403.tif 000005
【図５】
0004304403.tif 000006
【図６】
0004304403.tif 000007